(57)【要約】  特に鼠を含む齧歯類捕獲器であり、該捕獲器は：１つの筐体と；その中に前記筐体の１つまたは複数の側面から１つの通路が延びている１つの捕獲室を含む。前記捕獲器は更に、その内の１つの電極が前記捕獲室の外側に配置されている２つの電極と、１つの貯蔵器を含む。前記捕獲器は更に、前記筐体は齧歯類が入った前記捕獲室を、前記齧歯類が前記捕獲室に走り込むことが可能な下方位置と、前記捕獲室が殺害した齧歯類を前記貯蔵器の中に排出することの可能な上方位置との間で移送するための移送機構で構成されている。前記捕獲室と前記複数の電極は、前記電極の間に存在する齧歯類を殺害出来るように、前記捕獲室内で互いに近接させる装置を含む。
2014510540.tif 000002
【特許請求の範囲】
【請求項１】
鼠を含む齧歯類捕獲器であって：
１つの筐体と；
その中に前記筐体の１つまたは複数の側面から、１つの通路が延びている１つの捕獲室と；
その内の１つの電極が前記捕獲室の外側に配置されている２つの電極と；
１つの貯蔵器を含み、
前記筐体は齧歯類が入った前記捕獲室を、前記齧歯類が前記捕獲室に走り込むことが可能な下方位置と、前記捕獲室が殺害した齧歯類を前記貯蔵器の中に排出することの可能な上方位置との間で移送するための移送機構を含み、前記捕獲室と前記複数の電極が、前記電極の間に存在する齧歯類を殺害出来るように、前記捕獲室内で互いに近接させる装置を含むことを特徴とする、前記齧歯類捕獲器。
【請求項２】
請求項１に記載の齧歯類捕獲器であって、１つの電極が前記捕獲室内部に固定して配置されていることを特徴とする、前記齧歯類捕獲器。
【請求項３】
請求項１または２のいずれかの請求項に記載の齧歯類捕獲器であって、前記１つの電極が前記捕獲室の底部に板金部品として構成されていることを特徴とする、前記齧歯類捕獲器。
【請求項４】
請求項２または３のいずれかの請求項に記載の齧歯類捕獲器であって、前記捕獲室とその外側に配置されている電極が、前記捕獲室内に存在する齧歯類が２つの電極と接触させられるような方法で互いの方向に移動させられることを特徴とする、前記齧歯類捕獲器。
【請求項５】
請求項１乃至４のいずれかの請求項に記載の齧歯類捕獲器であって、前記捕獲室の外側に配置されている１つまたは複数の電極が、前記捕獲室を貫通できることを特徴とする、前記齧歯類捕獲器。
【請求項６】
請求項１乃至５のいずれかの請求項に記載の齧歯類捕獲器であって、前記１つの電極が熊手様部材を含み、その脚が前記捕獲室内に構成された相補的なスロットを貫通できることを特徴とする、前記齧歯類捕獲器。
【請求項７】
請求項１乃至６のいずれかの請求項に記載の齧歯類捕獲器であって、前記捕獲室が１つの上側部分と下側部分とで構成され、滑動分離することで捕獲された齧歯類を放出できることを特徴とする、前記齧歯類捕獲器。
【請求項８】
請求項７に記載の齧歯類捕獲器であって、前記捕獲室が幾何学的に固定された上側部分と下側部分とで構成され、これにより前記捕獲室がその上方位置に達するまで滑動分離出来ないことを特徴とする、前記齧歯類捕獲器。
【請求項９】
請求項１乃至８のいずれかの請求項に記載の齧歯類捕獲器であって、前記貯蔵器が殺害された齧歯類を収集するための１つの袋を含むことを特徴とする、前記齧歯類捕獲器。
【請求項１０】
請求項１乃至９のいずれかの請求項に記載の齧歯類捕獲器であって、前記１つの電極が傾斜可能な熊手様部材を含むことを特徴とする、前記齧歯類捕獲器。
【請求項１１】
請求項１乃至１０のいずれかの請求項に記載の齧歯類捕獲器であって、前記通路が前記筐体の２つの対向する側面の間に延びていることを特徴とする、前記齧歯類捕獲器。
【請求項１２】
請求項１乃至１１のいずれかの請求項に記載の齧歯類捕獲器であって、前記捕獲室がその下方位置に有って前記通路を横切る状態の時に、齧歯類が前記捕獲室を通って通行できるように構成されていることを特徴とする、前記齧歯類捕獲器。
【請求項１３】
請求項１乃至１２のいずれかの請求項に記載の齧歯類捕獲器であって、前記捕獲室と前記捕獲器の前記筐体が、前記捕獲室が上方へ移動した際に前記捕獲室の開口が前記筐体の側面で覆われるように、互いに適合されていることを特徴とする、前記齧歯類捕獲器。
【請求項１４】
請求項１乃至１３のいずれかの請求項に記載の齧歯類捕獲器であって、前記貯蔵器が前記捕獲室がその上方位置に来たときに開かれる１つの蓋を含むことを特徴とする、前記齧歯類捕獲器。
【請求項１５】
請求項１乃至１２のいずれかの請求項に記載の齧歯類捕獲器であって、前記貯蔵器が１つの取っ手を具備する蓋を含み、前記捕獲室が上方へ移動中に前記取っ手に当たると前記蓋が開かれるように構成されていることを特徴とする、前記齧歯類捕獲器。
【発明の詳細な説明】
【技術分野】
【０００１】
本発明は特に鼠を含む齧歯類捕獲器に係わり、該捕獲器は：ひとつの筐体と；ひとつの通路が前記筐体の両側面から延びているひとつの捕獲室と；ひとつの電極が前記捕獲室の外側に配置されている二つの電極と；ひとつの貯蔵器とを含む。
【背景技術】
【０００２】
地上に設置される既知の鼠取り器は、通常パタンと挟みつける何らかの種類の機構を含み、自然の成り行きとしてこれは例えば大型鼠（rat）または小型鼠（mouse）のような1匹の齧歯類を殺害することが可能であり、その後その捕獲器は空にされる必要がある。その他の型式の「餌罠」方式に基づく捕獲機能では、動物がその捕獲器の中に誘い込まれる。そのような型式が英国特許番号ＧＢ  １８７３８２Ａに記載されている。
【発明の概要】
【発明が解決しようとする課題】
【０００３】
このような従来技術型式による捕獲器の欠点は、その捕獲器が解除されているか又は生きた動物が捕獲されているかいずれかなので、短い時間間隔で点検しなければならない事である。
【課題を解決するための手段】
【０００４】
これらの欠点は齧歯類が入った前記捕獲室を、前記齧歯類が捕獲室に走り込むことが出来る下方位置と、殺害された動物を捕獲室が貯蔵器に排出することが可能な上方位置との間で移送するための移送機構を含む筐体で解決され、ここで捕獲室および複数の電極は、電極の間に入った齧歯類を殺害することができるように、これらの電極を前記捕獲室内で互いに近接させる装置を含む。
【０００５】
本発明のいくつかの実施例は従属請求項に記載されている。
【０００６】
明細書並びに請求項の中でこれらの電極は、電極の間に入った齧歯類を殺害することができるように、これらの電極を前記捕獲室内で互いに近接させる装置を含む、という表現法が用いられている、この表現は物理的な接点を意味すると必ずしも意図するものでは無い。むしろこれらの電極が、単純に機能的な観点から、これらの電極の間に存在する齧歯類を殺害できる程度に互いに近接されることを可能とすることを意図している。
【図面の簡単な説明】
【０００７】
以下において、本発明の１つの実施例を、添付図をもとに説明する。
【図１】図１は本発明に基づく筐体の１つの実施例の透視図である。
【図２】図２は捕獲器の１つの実施例の前面から見た断面図であり、1枚の側板が取り外されている。
【図３】図３は捕獲器の１つの実施例の前面から見た断面図であり、1枚の側板と底板が取り外されている。
【図４】図４は捕獲器の１つの実施例の1枚の側板が取り外されている前面から見た断面図であり、ここで捕獲器の捕獲室は上方排出位置と下方捕獲位置の間に位置している。
【図５】図５は図４のａ部分の拡大図である。
【図６】図６は拡大図の中に見られるいくつかの熊手様部材の脚を示す。
【図７】図７は、１本の電極がどの様に捕獲室の中に入っているかを見ることが出来るように、図示を目的としてもう１枚の側板が取り外されている、捕獲器の１つの実施例の前面から見た断面図である。
【図８】図８は、捕獲室が上方位置に有るときに、どのように空にされるかを見ることが出来るように、図示を目的としてもう１枚の側板が取り外されている捕獲器の断面図である。
【発明を実施するための形態】
【０００８】
図１は齧歯類捕獲器の１つの実施例を示す。捕獲器は1つの筐体１と更に、１枚の天板２、１枚の底板５および４つの側面を有する。図示された実施例ではこれらは取り外し可能である。捕獲器の左下隅に入口／出口穴６が見られ、これは筐体を通って延びる１本の通路用である。この通路が横切る部分はまた捕獲室１０と表されている。
【０００９】
図２は前面から見た捕獲器の断面を示す概略図であり、取り外し可能な側板は取り除かれている。この図は齧歯類が開口６を走り通る際に入る捕獲室１０を示す。
【００１０】
従って図示された実施例では、捕獲室は開口６から筐体の反対側の開口（図示せず）に延びる１つの通路を構成する。
【００１１】
勿論この通路は筐体のもう一方の開口まで延びるのではなく、反対側の端で単に閉鎖されるように構成することも出来る。
【００１２】
更に、捕獲器は２本の電極を含む。その１つは捕獲室の上方に見られ、図示された実施例では一列の歯を含む１つの熊手様部材２０で構成されている。
【００１３】
第２電極は図３に図示されており、以下に説明する。
【００１４】
この熊手様部材の背後に貯蔵器が示されており、図示された実施例では、これは取っ手４１を具備した蓋を備えたバケツ様容器４２で構成されている。
【００１５】
図３は捕獲器１を示し、ここでは最下部の底板も取り外されている。見て分かるように、電動機部品が板金部品４０を介して、その一部がガイド２２の上に、また別の部分がラック２１の上に装着されている。電動機、ラックおよびガイドにより、捕獲室を図１で占めるようにその下方位置と、必要であれば捕獲室がその内容物を貯蔵器／前記バケツ４２の中に排出することの出来る上方位置との間に配置させることが可能である。
【００１６】
板金４０の後ろには、感知器（図示せず）が装着されており、これは捕獲室内に齧歯類／鼠が存在することを検出出来る。この感知器は赤外線感知器であるが、その他の型式の動作感知器も勿論採用可能であり、またこの感知器は単純に機械的原理に基づくものでも構わない。
【００１７】
捕獲室の底部では、板金３１が捕獲室にどのように具備されているか見ることができる。この板金は捕獲室の底部全面に渡って延びている。
【００１８】
この板金は第２電極の役を果たす。
【００１９】
通常、板金３１は捕獲室内の齧歯類が捕獲室内のどこにあっても板金３１の上にあるような寸法である。
【００２０】
図４は捕獲器を示し、ここで捕獲室はその開口が捕獲器の側板で覆われる位置に移動されている。従って、捕獲室の移動は前述の感知器がその室内に齧歯類／鼠の存在を検知したときに開始される。
【００２１】
捕獲器にはプログラム可能制御が装備されていてもよく、１つの実施例では動作が２段階で開始されるようにプログラムされており、ここで第１の迅速な上方への動きは両方の開口部が筐体の側板で覆われる位置まで捕獲室を引き上げる目的を果たす。
【００２２】
これによりその齧歯類は捕獲される。
【００２３】
そして、更に次の動きは熊手様部材の脚を捕獲室の中に入り込ませる目的で行われ、これはそこに存在する齧歯類が底部板金と熊手様部材との両方で電気的に接触するようなやり方でなされる。
【００２４】
もちろん、第１の迅速な動きはまた、齧歯類の捕獲に加えて、齧歯類／鼠を介して２つの電極間を流れる電流によってその齧歯類が殺害される位置まで、捕獲室を動かす目的を果たすことも可能である。
【００２５】
図６は何本かの熊手様部材の歯（図８の部分ｂ）の近接／拡大図を示し、ここでそれらの下側に電流搬送媒体である板金部品５０を露出させている切り欠きが具備されているのが見える。
【００２６】
図示された実施例において、齧歯類の殺害はそれが熊手様部材から上述の前記板金部品を通り、その齧歯類を通って捕獲室の底部に位置する板金に流れる電流にさらされることにより行われる。
【００２７】
図７は捕獲器の内部を図示し、ここで捕獲室は熊手様部材がその中を貫通する位置まで引き上げられている。熊手様部材の右側に１つの電極部材５１が図示されており、これは熊手様部材２０が取り付けられている軸の周りに張力が掛けられている。熊手様部材のもう一方の端には、弾力性のある部材が同様の方法で配置されている。この構成により、熊手様部材がその水平位置に向かって探ることを可能としているが、それは熊手様部材がその位置から回転（軸の周りに）する際にこの弾力性のある部材が引き伸ばされるからである。
【００２８】
これは図８に更に明らかに示されている。
【００２９】
一方では、傾斜可能熊手様部材の目的は、捕獲室が下方または上方に移動した際にその脚が捕獲室に追従可能であることであり、また他方では罠で捕獲する際に電流搬送部品の位置が捕獲された動物の大きさに適合するようにすることである。これにより動物の大きさがどのように変化しても、熊手様部材の電流搬送部品５０をその動物と良好な接触を行わせる高い信頼性が得られる。捕獲器の後部には貯蔵器が図示されており、図示された実施例では、取っ手４４が取り付けられた蓋４３を備えた容器４２で構成されている。
【００３０】
図８では、捕獲室が上方位置に引き上げられた状態で図示されており、その位置ではその内容物を後方に配置されているバケツの中に排出する。ここで明らかなように、捕獲室は２つの部分からなっている。上側部分１０ｂと下側部分１０ａであり、これらはバケツの蓋が捕獲室の上側部分で持ち上げられ、その間に同時に捕獲室の下側部分がその内容物をバケツの中に排出出来る位置に移動されるように分離されている。
【００３１】
また図８から明らかなように、傾斜可能熊手様部材を具備した捕獲器の構造は、パイプが熊手様部材を貫通して移動することを可能としている；これは捕獲器が空にされる時に重要であり、そうでなければ熊手様部材はその様な動きを阻止されるからである。
【００３２】
捕獲室の下側部分は、先に述べたように、１つのガイドによって制御されており、その最下部が上方への移動中に傾けられ、これにより齧歯類を付属の貯蔵器の中に排出する。
【００３３】
捕獲室は齧歯類を意図せずに逃がしてしまう事を防止するために保護策が採られている、ここで；上側部分１０ｂと下側部分１０ａは、下側部分が排出位置に向かって移動されるまで上側部分１０ｂが傾斜出来ないように互いに幾何学的に適合されている。
【００３４】
２つの部分は捕獲器内の複数のガイドによって別々に運ばれ、一定時間経過後に電動機が逆回転して捕獲室は、同時に閉じながらその下方位置に向かって移動する。
【００３５】
ここで捕獲器は新たな使用準備が整う。
【００３６】
本発明により、電流により機能する捕獲器を、人がそこから電気的ショックを受けない高いレベルの保護機能で製造することが可能であることが分かった。ひとつの安全機能は捕獲室がひとつ（または複数）の電極を含み、もう一方（ひとつまたは複数）の電極がそこから離れた距離に配置されていることである。この構成により、例えば子供の手が捕獲器横の開口から捕獲室の中に挿入されたとしても、両電極に同時に触れることが出来ないようになされている。とはいえ、勿論電極／熊手様部材が捕獲室に向かって移動するように捕獲器を構成することも可能であり、これは通常その逆が起こることが出来るようにするより高い安全性レベルと関連づけられている。
【００３７】
この理由はまたひとつの安全機能として、捕獲室が熊手様部材に向かって引き上げられる際に、その捕獲室の終端部開口が捕獲器の側板で塞がれることがあげられる。これにより、何か（例えば、腕、猫の脚など）が捕獲室の終端部開口を貫通している限り捕獲室は動くことが出来ない。
【００３８】
別の安全機能は熊手様部材の構成にあり、それは齧歯類と接触する領域を除き絶縁被覆で構成されていることである。これは図６に示されており、これらの領域は熊手様部材の最も下の部分であることが分かる。
【００３９】
捕獲室の上下方向の動きを齧歯類が妨害することを防ぐために、捕獲器の内側（上下動の際に終端部開口が通過する領域）は滑らかな被覆で構成されている。
【００４０】
通常使用される電流は約６，０００ボルトであり、約２分間印加されるが、もちろん必要に応じて変更できる。
【００４１】
この捕獲器の別の安全機能は、先に述べた赤外線感知器とは別に、日光を検知できる実際の光感知器を装備できることである。その実施例において、捕獲器は全く単純に日光の下では不活動の状態とし、光感知器が可視光を検知しなくなるまで自身を活動させないようにすることである。この機能の特長はまた人工光、例えばランプからの光もまた捕獲器を動作停止とできることである。
【００４２】
光感知器を装備した捕獲器では、電子機器により通常その機能のスイッチを入れるかまたは切るか選択可能である。
【００４３】
この捕獲器の下最後部左隅に捕獲器の電源１００が見られ、図示された実施例では電池であるが、もちろん商用電源を含む他の電源ユニットも使用できる。
【００４４】
この捕獲器は地上で使用されるため、太陽光発電を具備することも可能であろう。
【００４５】
図示された実施例において、１つのバケツが貯蔵器内に配置されており、この中に台所用の一般的なごみ箱と全く同じ方法で１つの袋を取り付けられる。従って、この捕獲器は何匹かの齧歯類を、その間に「詰め替え」たり空にしたりすることなく続けて殺害するように使用することができる。
【００４６】
この捕獲器に適切な電子機器を用意することにより、「殺害」個体数を記録することが可能であり、また同様に例えば携帯型インターネットおよび／またはインターネットを介して、電池状態、エラーまたは空にする必要などを含むその運転状況を報告する手段を装備することさえもできる。
【００４７】
１つの実施例によれば、この捕獲器はプラスチック製の筐体ならびに捕獲室を含む関連部品が具備されている。
【００４８】
導電性部品は通常金属で作られているが、これらはまた、関連する必要に応じて、導電性プラスチックで作ることも可能である。導電性部品をプラスチックで構成することはより容易な製造方法を提供し、押出成形を含むプラスチック製造方法は、捕獲器の電気部品およびその他の部品の両方に使用するのに適している。
【図１】
2014510540.tif 000003
【図２】
2014510540.tif 000004
【図３】
2014510540.tif 000005
【図４】
2014510540.tif 000006
【図５】
2014510540.tif 000007
【図６】
2014510540.tif 000008
【図７】
2014510540.tif 000009
【図８】
2014510540.tif 000010
【国際調査報告】
2014510540.tif 000011
2014510540.tif 000012